(57)【要約】  【課題】点検員は、消火設備の日々の点検として、アラーム弁が有する１次側配管の圧力を表示するメーターと２次側配管の圧力を表示するためのメーターとに表示される圧力値を確認するために、アラーム弁が設置されている場所まで行かなければならなかった。  【解決手段】アラーム弁１９は、アラーム弁１９の消火水供給側である１次側配管２２内の圧力を測定する１次側圧力測定部１６と、スプリンクラヘッド側である２次側配管２３内の圧力を測定する２次側圧力測定部１７と、１次側圧力測定部１６から出力される１次側圧力値信号と２次側圧力測定部１７から出力される２次側圧力値信号とを送信する圧力値送信部１８と、を備えた。【選択図】図１
2013085914.tif 000002
【特許請求の範囲】
【請求項１】
スプリンクラヘッドが火災の熱により開放し、配管に充水されていた水を散水したときにスプリンクラ配管内の圧力低下により弁が開放されて消火水が流れ、その流水を検知して信号を出力するアラーム弁において、
前記アラーム弁は、アラーム弁の消火水供給側である１次側配管内の圧力を測定する１次側圧力測定部と、スプリンクラヘッド側である２次側配管内の圧力を測定する２次側圧力測定部と、１次側圧力測定部から出力される１次側圧力値信号と２次側圧力測定部から出力される２次側圧力値信号とを送信する圧力値送信部と、を備えたことを特徴とするアラーム弁。
【請求項２】
請求項１に記載のアラーム弁と、前記圧力値信号を受信する圧力値受信部と前記アラーム弁からの流水信号を受信して前記アラーム弁が作動したことおよび前記圧力値信号に基づき圧力値を表示する表示部とを有する消火制御盤と、を備えたことを特徴とする消火設備。
【請求項３】
前記消火制御盤は、前記圧力値信号に基づく圧力値を所定の時間間隔毎に記憶する記憶部を備えたことを特徴とする請求項２の消火設備。
【請求項４】
前記消火制御盤は、前記記憶部に記憶した圧力値を前記表示部にグラフ表示することを特徴とする請求項３の消火設備。
【請求項５】
請求項１に記載のアラーム弁と、火災を感知する火災感知器や防排煙装置の制御を行う中継器等の端末機器と、該端末機器と伝送線を介して状態情報や制御命令の授受を行い火災等の表示を行う受信機表示部を備えた火災受信機と、を備え、
前記端末機器は、前記圧力値送信部が送信する圧力値信号を受信する端末受信部と前記圧力値信号を状態情報とともに前記火災受信機に送信する端末送信部を備え、前記火災受信機は、前記端末機器から送信された前記圧力値信号に基づき圧力値を前記受信機表示部に表示することを特徴とする火災報知設備。
【請求項６】
前記火災受信機は、前記圧力値信号に基づく圧力値を所定の時間間隔毎に記録する受信機記憶部を備えたことを特徴とする請求項５の火災報知設備。
【請求項７】
前記火災受信機は、前記受信機記憶部に記憶した圧力値を前記受信機表示部にグラフ表示することを特徴とする請求項６の火災報知設備。
【発明の詳細な説明】
【技術分野】
【０００１】
本発明は、アラーム弁とそれを備えた消火設備および火災報知設備に関するものである。
【背景技術】
【０００２】
従来、スプリンクラヘッドが火災の熱により開放し、アラーム弁よりスプリンクラヘッド側である２次側配管に充水されていた水を散水したときに、２次側配管内の圧力低下により弁が開放されて、アラーム弁より水源側の１次側配管から消火水が流れ、その流水を検知して、放水した箇所を消火制御盤に表示させたり、消火水を送水するためにポンプを始動させたりするための信号を発するアラーム弁がある。（例えば、特許文献１参照。）
【先行技術文献】
【特許文献】
【０００３】
【特許文献１】特開２００９−１３６４３２号公報
【発明の概要】
【発明が解決しようとする課題】
【０００４】
このようなアラーム弁を備えた消火設備が火災時に動作するためには、２次側配管内の圧力が低下して１次側配管内の圧力よりも低くならなければならない。そのため、消火設備が正常に動作するようにするために、常に１次側配管内および２次側配管内が適切に加圧された状態が維持されていなければならない。
【０００５】
上記状態を維持するために、点検員は、消火設備の日々の点検として、アラーム弁が有する１次側配管内の圧力を表示するメーターと２次側配管内の圧力を表示するためのメーターとに表示される圧力値を確認するために、アラーム弁が設置されている場所まで行かなければならなかった。
【０００６】
本発明は、上記の様な課題を解決するためになされたもので、点検員が、アラーム弁が設置されている場所まで行かなくとも圧力値を確認することができることを目的とするものである。
【課題を解決するための手段】
【０００７】
本発明に係わるアラーム弁は、スプリンクラヘッドが火災の熱により開放し、配管に充水されていた水を散水したときにスプリンクラ配管内の圧力低下により弁が開放されて消火水が流れ、その流水を検知して信号を出力するアラーム弁において、前記アラーム弁は、アラーム弁の消火水供給側である１次側配管内の圧力を測定する１次側圧力測定部と、スプリンクラヘッド側である２次側配管内の圧力を測定する２次側圧力測定部と、１次側圧力測定部から出力される１次側圧力値信号と２次側圧力測定部から出力される２次側圧力値信号とを送信する圧力値送信部と、を備えたことを特徴とする。
【０００８】
本発明に係わる消火設備は、請求項１に記載のアラーム弁と、前記圧力値信号を受信する圧力値受信部と前記アラーム弁からの流水信号を受信して前記アラーム弁が作動したことおよび前記圧力値信号に基づき圧力値を表示する表示部とを有する消火制御盤と、を備えたことを特徴とする。
【０００９】
本発明に係わる消火設備の消火制御盤は、前記圧力値信号に基づく圧力値を所定の時間間隔毎に記憶する記憶部を備えたことを特徴とする。
【００１０】
本発明に係わる消火設備の消火制御盤は、前記記憶部に記憶した圧力値を前記表示部にグラフ表示することを特徴とする。
【００１１】
本発明に係わる火災報知設備は、アラーム弁と、火災を感知する火災感知器や防排煙装置の制御を行う中継器等の端末機器と、該端末機器と伝送線を介して状態情報や制御命令の授受を行い火災等の表示を行う受信機表示部を備えた火災受信機と、を備え、前記端末機器は、前記圧力値送信部が送信する圧力値信号を受信する端末受信部と前記圧力値信号を状態情報とともに前記火災受信機に送信する端末送信部を備え、前記火災受信機は、前記端末機器から送信された前記圧力値信号に基づき圧力値を前記受信機表示部に表示することを特徴とする。
【００１２】
本発明に係わる火災報知設備の火災受信機は、前記圧力値信号に基づく圧力値を所定の時間間隔毎に記録する受信機記憶部を備えたことを特徴とする。
【００１３】
本発明に係わる火災報知設備の火災受信機は、前記受信機記憶部に記憶した圧力値を前記受信機表示部にグラフ表示することを特徴とする。
【発明の効果】
【００１４】
アラーム弁から出力される圧力値信号により、圧力値を遠隔監視することができるので、点検員が、アラーム弁が設置されている場所まで行かなくとも圧力値を確認することができる。
【００１５】
また、圧力値を消火制御盤で表示するため、圧力値を遠隔監視するための機器を別途用意する必要が無い。
【００１６】
また、圧力値を火災表示機で表示するため、火災報知設備に元々備えられている火災受信機の受信機表示部と、火災受信機の伝送部および端末機器の端末伝送部と、伝送線（電気配線）とを利用することで、低コストで圧力値を表示することができる。
【００１７】
また、圧力値を所定時間毎に記憶するため、圧力低下等の不具合が発生したとき、圧力値の時間変化を調べて、不具合の原因の解析に利用でき、さらにグラフ表示することにより圧力値の変化の推移がわかりやすい。
【図面の簡単な説明】
【００１８】
【図１】実施の形態１に係わる消火設備の構成図である。
【図２】実施の形態１に係わる圧力値を表示したときの一例を表す図である。
【図３】実施の形態１に係わる圧力値の履歴を表示したときの一例を表す図である。
【図４】実施の形態１に係わる圧力値のグラフを表示したときの表示の一例を表す図である。
【図５】実施の形態２に係わる消火設備および火災報知設備の構成図である。
【発明を実施するための形態】
【００１９】
実施の形態１
本発明の実施の形態１に係わる消火設備について図１〜４に基づいて説明する。
図１は、実施の形態１に係わる消火設備の構成図である。図１に示されるように、消火設備１は、加圧送水装置としてのポンプ１１、水源１２と、建物の各部屋に配置されるスプリンクラヘッド１３と、建物の高さ方向に貫通するメイン配管２１と、そのメイン配管２１から各階ごとに分岐する１次側配管２２と、１次側配管２２から各スプリンクラヘッド１３の設置位置に至るスプリンクラ配管である２次側配管２３と、１次側配管２２に設けられた制御弁１４と、各階ごとの１次側配管２２と２次側配管２３を仕切り２次側配管への流水を検知する流水検知装置１５と１次側配管２２内の消火水の圧力を測定して１次側圧力信号を出力する１次側圧力測定部１６と２次側配管２３内の消火水の圧力を測定して２次側圧力信号を出力する２次側圧力測定部１７と１次側圧力信号および２次側圧力信号を送信する圧力値送信部１８とを有するアラーム弁１９と、から構成されている。
【００２０】
また、電気系統として、流水検知装置１５との検知信号線３１と、圧力値送信部１８との圧力値信号線３２と、ポンプ１１との制御線３３と、それらの線と接続され消火設備１を制御する消火制御盤４１とから構成される。
【００２１】
消火制御盤４１は、消火制御盤４１の全ての制御を行う制御部４２と、検知信号線３１を介してアラーム弁１９の流水検知装置１５からの流水信号を受信する流水信号受信部４３と、制御線３３を介してポンプ１１を起動させるポンプ起動部４４と、圧力値信号線３２を介してアラーム弁１９の圧力値送信部１８からの信号を受信する圧力値受信部４５と、記憶部４６と、表示部４７とから構成される。
【００２２】
このような消火設備１において、火災が発生すると、スプリンクラヘッド１３は、火災の熱によって開放され、水を散水する。スプリンクラヘッド１３が散水を開始すると２次側配管２３内の圧力が低下する。アラーム弁１９は、逆止弁構造となっていて１次側配管２２内の消火水の圧力よりも２次側配管２３内の消火水の圧力が低くなったとき逆止弁が開き、１次側配管２２から２次側配管２３に消火水が流れ込む。
【００２３】
このとき、流水検知装置１５が流水を検知して、検知信号を検知信号線３１に出力する。検知信号を流水信号受信部４３で受信すると消火制御盤４１の制御部４２は、表示部４６にどのアラーム弁１９が流水を検知したか表示するとともに、ポンプ起動部４４から制御線３３に制御信号を出力してポンプ１１を起動させる。ポンプ１１は水源１２より消火水を吸い上げ、消火水がメイン配管２１、１次側配管２２、２次側配管２３等の一連の配管を通ってスプリンクラヘッド１３に供給され、火源に向かって散水される。
【００２４】
火災が鎮火した後には、散水したスプリンクラヘッド１３が取り付けられている１次側配管２２に設けられている制御弁１４を閉じて消火水を遮断して散水を停止させる。
【００２５】
消火設備１が、上記に示される動作を火災時に行うことができるためには、１次側配管２２と２次側配管２３の消火水が所定の圧力に加圧されている必要がある。
【００２６】
例えば、１次側配管２２に漏水が発生した異常な状態においては、１次側配管２２内の圧力が正常時よりも低下してしまう。この状況では、正常時よりも２次側配管２３内の圧力が低くならなければ、２次側配管２３内の圧力が１次側配管２２内の圧力よりも低くならないためアラーム弁１９の逆止弁が動作しない。そのため、流水検知装置１５が流水を検知するのが遅くなるため、ポンプ１１が起動するまでに時間がかかり、消火が遅くなって火災の被害が拡大してしまう。
【００２７】
また、２次側配管２３に漏水が発生した異常な状態においては、２次側配管２３内の圧力が１次側配管２２内の圧力よりも低下してしまい、アラーム弁１９の逆止弁が動作してしまい、ポンプ１１が起動してしまい、不要な電力を消費したり、漏水による被害が拡大したりしてしまう。
【００２８】
また、気温が上昇して２次側配管２３に充水されている水が膨張して、２次側配管２３内の圧力が上昇した異常な状態においては、２次側配管２３が破裂して漏水する可能性がある。
【００２９】
上記のような異常を確認できるように、消火設備１は、各アラーム弁１９の１次側配管２２内の圧力値と２次側配管２３内の圧力値を監視できるようになっている。
【００３０】
アラーム弁１９に備えられた圧力値送信部１８は、１次側圧力測定部１６と２次側圧力測定部１７が測定した圧力値を圧力値信号線３２を介して消火制御盤４１の圧力値受信部４５に１次側圧力値と２次側圧力値を圧力値信号に変換して出力する。
【００３１】
ここで、圧力値信号としては、計測の分野で利用されている４−２０ｍＡ信号として圧力値に応じて電流値に変換した信号としても良いし、圧力値に応じたコードを割り当てて、そのコードを異なる電圧値のパルス信号を組み合わせた信号としても良い。
【００３２】
圧力値送信部１８からの信号を圧力値受信部４５で受信すると、消火制御盤４１の制御部４２は、圧力値受信部４５から圧力値の通知を受け、記憶部４６に圧力値を記憶させる。また、制御部４２は、表示部４７に図２に一例として示されるように圧力値表示画面４８に圧力値を表示させる。
【００３３】
表示部４７はタッチパネルとなっており、圧力値表示画面４８には、各アラーム弁の圧力値の履歴を表示するための履歴スイッチ４９と、圧力値のグラフを表示するためのグラフスイッチ５０が表示されている。履歴スイッチ４９を操作すると記憶部４６に記憶されている圧力値に基づき図３に一例として示されるように、対応するアラーム弁の圧力値の履歴を表示部４７に表示する。また、グラフスイッチ５０を操作すると記憶部４６に記憶されている圧力値に基づき図４に一例として示されるように圧力値の履歴を表示部４７にグラフで表示する。
【００３４】
なお、表示部４７をタッチパネルとして履歴スイッチ４９およびグラフスイッチ５０を圧力値表示画面４８に設けたが、表示部４７をタッチパネルではないモニタとして、別途履歴スイッチ４９およびグラフスイッチ５０を設けても良い。
【００３５】
以上のように、アラーム弁１９は、アラーム弁１９の消火水供給側である１次側配管２２内の圧力を測定する１次側圧力測定部１６とスプリンクラヘッド側である２次側配管２３内の圧力を測定する２次側圧力測定部１７とを有し、１次側圧力測定部１６から出力される１次側圧力値信号と２次側圧力測定部１７から出力される２次側圧力値信号とを送信する圧力値送信部１８を備えるため、圧力値を遠隔監視することができるので、点検員が、アラーム弁が設置されている場所まで行かなくとも圧力値を確認することができる。
【００３６】
また、消火制御盤４１は、圧力値信号を受信する圧力値受信部４８と、圧力値信号に基づき圧力値を表示する表示部４７を備えるため、圧力値を遠隔監視するための機器を別途に用意する必要がない。
【００３７】
また、消火制御盤４１は、圧力値信号に基づく圧力値を所定の時間間隔毎に記憶する記憶部４６を備えるため、圧力低下等の不具合が発生したとき、圧力値の時間変化を調べて、不具合の原因の解析に利用できる。
【００３８】
また、消火制御盤４１は、記憶部４６に記憶した圧力値を表示部４７にグラフで表示するため、変化の推移がわかりやすい。
【００３９】
なお、１次側圧力値信号と２次側圧力値信号との差を演算して、その差分値についての履歴やグラフを表示させても良い。
【００４０】
本実施の形態１では、消火制御盤４１で圧力値を表示するようにしたが、別途、パーソナルコンピュータを組み込んだ機器等により、圧力値送信部１８からの信号を受信して圧力値を表示したり、履歴を表示したり、グラフ表示するようにしても良い。
【００４１】
また、消火制御盤４１の記憶部４６からフラッシュメモリなどの記憶媒体により履歴データを外部に取り出せるようにして、日々の点検レポートの作成に利用できるようにしても良い。
【００４２】
また、消火制御盤４１が、ポンプ１１を起動するのではなく、他の機器に流水信号を送信して、その機器がポンプ１１を起動するようにしても良いし、流水検知装置１５の流水信号でポンプ１１が直接起動するようにしても良い。
【００４３】
実施の形態２
前述の実施の形態１では、消火制御盤に圧力値受信部、記憶部および表示部を追加して、１次側配管内の圧力値と２次側配管内の圧力値、履歴およびグラフを消火制御盤で表示する例を示した。本実施の形態２では、消火制御盤に代わり、火災報知設備の火災受信機は、１次側配管内の圧力値と２次側配管内の圧力値、履歴およびグラフを表示する例を示す。
【００４４】
なお、本実施の形態２では、前述の実施の形態１との相違点を中心に説明し、実施の形態１と同一または対応する構成要素については、同一の符号を付す。
【００４５】
本実施の形態２に係わる消火設備および火災報知設備について図５に基づいて説明する。
図５は、実施の形態２に係わる消火設備および火災報知設備の構成図である。図５に示されるように、消火設備２としては、図１と同様に、加圧送水装置としてのポンプ１１、水源１２と、建物の各部屋に配置されるスプリンクラヘッド１３と、建物の高さ方向に貫通するメイン配管２１と、そのメイン配管２１から各階ごとに分岐する１次側配管２２と、１次側配管２２から各スプリンクラヘッド１３の設置位置に至るスプリンクラ配管である２次側配管２３と、１次側配管２２に設けられた制御弁１４と、各階ごとの１次側配管２２と２次側配管を仕切り２次側配管２３への流水を検知する流水検知装置１５と１次側配管２２内の消火水の圧力を測定して１次側圧力信号を出力する１次側圧力測定部１６と２次側配管２３内の消火水の圧力を測定して２次側圧力信号を出力する２次側圧力測定部１７と１次側圧力信号および２次側圧力信号を送信する圧力値送信部１８とを有するアラーム弁１９と、から構成されている。
【００４６】
また、電気系統として、流水検知装置１５との検知信号線３１と、ポンプ１１との制御線３３と、それらの線と接続され消火設備を制御する消火制御盤５１とから構成される。
【００４７】
消火制御盤Ａ５１は、消火制御盤５１の全ての制御を行う制御部５２と、検知信号線３１を介してアラーム弁１９の流水検知装置１５からの流水信号を受信する流水信号受信部５３と、制御線３３を介してポンプ１１を起動させるポンプ起動部５４と、表示部５５とから構成されている。
【００４８】
ここで、消火制御盤５１の表示部５５は、実施の形態１では、圧力値や履歴やグラフ表示ができるようにＬＣＤパネル等のモニタでなければならなかったが、本実施の形態２においては、アラーム弁１９が起動した・起動していない等の２つの状態を表示できれば良いため、点灯・消灯で２つの状態を表示するＬＥＤ等の表示灯とすることができ、消火制御盤５１のコストが低減できる。
【００４９】
火災報知設備３としては、煙や熱により火災を感知する火災感知器やベルを鳴動させるためのベル用中継器や防火扉等の防排煙機器を動作させる防排煙用中継器等の各種の端末機器６１が、伝送線６４を介して火災受信機７１に接続されている。消火設備２の１次側配管２２および２次側配管２３と同様に、伝送線６４は各階ごとに分岐して各階に端末機器６１が設置されている。火災受信機７１は、火災受信機７１の全体の制御を行う受信機制御部７２と、端末機器６１が有する図示しない端末伝送部６３と伝送線６４を介して通信を行い端末機器６１の状態を収集および端末機器６１への制御命令を送受信する伝送部７３と、制御プログラムや連動データ等を格納する受信機記憶部７４と、火災発生場所や防排煙機器の動作等を表示する受信機表示部７５により構成されている。
【００５０】
アラーム弁１９の圧力値送信部１８は、圧力値信号線６５を介して端末機器６１が有する図示しない端末受信部６２に接続される。端末機器６１は、火災感知器などの火災報知設備用のものに圧力値送信部１８からの圧力値信号を受信できるように端末受信部６２を追加しても良いし、火災を検出する回路や防排煙機器を動作させる等の回路を備えず、圧力値信号を受信する機能のみを有するものとしても良い。
【００５１】
消火設備２の火災時の動作は、実施の形態１の消火設備１と同様であり、スプリンクラヘッド１３は、火災の熱によって開放され、水を散水する。スプリンクラヘッド１３が散水を開始すると２次側配管２３内の圧力が低下する。アラーム弁１９は、逆止弁構造となっていて１次側配管２２内の消火水の圧力よりも２次側配管２３内の消火水の圧力が低くなったとき逆止弁が開き、１次側配管２２から２次側配管２３に消火水が流れ込む。
【００５２】
このとき、流水検知装置１５が流水を検知して、検知信号を検知信号線３１に出力する。検知信号を流水信号受信部５３で受信すると消火制御盤５１の制御部５２は、表示部５５にどのアラーム弁１９が流水を検知したか表示するとともに、ポンプ起動部５４から制御線３３に制御信号を出力してポンプ１１を起動させる。ポンプ１１は水源１２より消火水を吸い上げ、消火水がメイン配管２１、１次側配管２２、２次側配管２３等の一連の配管を通ってスプリンクラヘッド１３に供給され、火源に向かって散水される。
【００５３】
また、火災が発生すると火災報知設備３は、次のように動作する。端末機器６１の１つである火災感知器は、煙や熱により火災を感知するとパルスを組み合わせた信号により、伝送線６４を介して火災受信機７１に火災を通知する。火災の通知を伝送部７３で受信した火災受信機７１は、受信機記憶部７４に記憶されている連動データに従い、火災を感知した火災感知器に関連するベル用中継器にベルを鳴動させる制御命令と防排煙用中継器に防排煙機器を動作させる制御命令を伝送線６４に送信して、ベルを鳴動させたり防排煙機器を動作させて、避難を促したり、火災の延焼を防止したりする。
【００５４】
また、火災受信機７１は、受信機表示部７５に火災を感知した火災感知器や鳴動しているベルや動作した防排煙機器の情報をその機器が設置されている場所を示す文字情報で表示する。
【００５５】
このような火災報知設備３で、各アラーム弁１９の１次側配管２２内の圧力値と２次側配管２３内の圧力値を監視できるようになっている。
【００５６】
アラーム弁１９に備えられた圧力値送信部１８は、１次側圧力測定部１６と２次側圧力測定部１７が測定した圧力値を圧力値信号線６５を介して端末機器６１に１次側圧力値と２次側圧力値を圧力値信号に変換して出力する。
【００５７】
圧力値送信部１８からの信号を受信すると、端末機器６１は、伝送線６４を介して、火災受信機７１の伝送部７３に状態情報とともに圧力値を送信する。伝送部７３で圧力値を受信すると火災受信機７１の受信機制御部７２は、受信機記憶部７４に圧力値を記憶させる。また、受信機制御部７２は、受信機表示部７５に図２に一例として示されるように圧力値表示画面４８に圧力値を表示させる。
【００５８】
受信機表示部７５は、タッチパネルとなっており、圧力値表示画面４８には、各アラーム弁の圧力値の履歴を表示するための履歴スイッチ４９と、圧力値のグラフを表示するためのグラフスイッチ５０が表示されている。履歴スイッチ４９を操作すると記憶部４６に記憶されている圧力値に基づき図３に一例として示されるように、対応するアラーム弁の圧力値の履歴を受信機表示部７５に表示する。また、グラフスイッチ５０を操作すると記憶部４６に記憶されている圧力値に基づき図４に一例として示されるように圧力値の履歴を受信機表示部７５にグラフで表示する。
【００５９】
なお、受信機表示部７５をタッチパネルとして履歴スイッチ４９およびグラフスイッチ５０を圧力値表示画面４８に設けたが、受信機表示部７５をタッチパネルではないモニタとして、別途履歴スイッチ４９およびグラフスイッチ５０を設けても良い。
【００６０】
また、受信機表示部７５以外のモニタを火災受信機７１に設けて、そのモニタに圧力値や履歴やグラフを表示させるようにすることもできる。
以上のように、端末機器６１は、圧力値送信部１８が送信する圧力値信号を受信する端末受信部６２と圧力値信号を状態情報とともに火災受信機７１に送信する端末伝送部６３を備え、火災受信機７１は、端末機器６１から送信された圧力値信号に基づき圧力値を受信機表示部７５に表示するため、別途パーソナルコンピュータを組み込んだ機器等を用意したり、従来の消火設備に備わっていない圧力値信号線を敷設したり、消火制御盤に文字情報を表示できる表示部や圧力値信号の受信部を設けることなく、火災報知設備に元々備えられている火災受信機の受信機表示部と、火災受信機の伝送部および端末機器の端末伝送部とを利用し、各階ごとに分岐している伝送線を利用すること追加配線を最小限にすることができ、低コストで圧力値を表示することができる。
【００６１】
また、火災受信機７１は、圧力値信号に基づく圧力値を所定の時間間隔毎に記録する受信機記憶部７４を備えるため、圧力低下等の不具合が発生したとき、圧力値の時間変化を調べて、不具合の原因の解析に利用できる。
【００６２】
また、火災受信機７１は、受信機記憶部７４に記憶した圧力値を受信機表示部７５にグラフ表示するため、変化の推移がわかりやすい。
【００６３】
なお、１次側圧力値信号と２次側圧力値信号との差を演算して、その差分値についての履歴やグラフを表示させても良い。
【符号の説明】
【００６４】
１  消火設備、１１  ポンプ、１２  水源、１３  スプリンクラヘッド、１４  制御弁、１５  流水検知装置、１６  １次側圧力測定部、１７  ２次側圧力測定部、１８  圧力値送信部、１９  アラーム弁、２１  メイン配管、２２  １次側配管、２３  ２次側配管、３１  検知信号線、３２  圧力値信号線、３３  制御線、４１  消火制御盤、４２  制御部、４３  流水信号受信部、４４  ポンプ起動部、４５  圧力値受信部、４６  記憶部、４７  表示部、４８  圧力値表示画面、４９  履歴スイッチ、５０  グラフスイッチ、２  消火設備、３  火災報知設備、５１  消火制御盤、５２  制御部、５３  流水信号受信部、５４  ポンプ起動部、５５  表示部、６１  端末機器、６２  端末受信部、６３  端末伝送部、６４  伝送線、６５  圧力値信号線、７１  火災受信機、７２  受信機制御部、７３  伝送部、７４  受信機記憶部、７５  受信機表示部
【図１】
2013085914.tif 000003
【図２】
2013085914.tif 000004
【図３】
2013085914.tif 000005
【図４】
2013085914.tif 000006
【図５】
2013085914.tif 000007